(57)【要約】【課題】ユーザの好みを考慮しつつ、無駄な電力を削減する照明制御装置を提供する。【解決手段】照明装置の調光率を制御する照明制御システムであって、前記照明装置を利用する利用環境を表す環境データを取得する取得部と、０．５以下の値である確率レベルの設定値を記憶する確率レベル記憶部と、前記環境データに対応した前記照明装置の調光率の正規分布の平均及び標準偏差によって決まる前記照明装置の調光率の正規分布と、前記環境データに応じた前記照明装置の調光率の密度関数と、前記標準偏差及び前記環境データに対する重みとから決まるモデルパラメータと、に基づいて、前記確率レベル記憶部に記憶された確率レベルの設定値に対応する前記環境データに応じた前記照明装置の調光率を算出する調光率算出部と、前記調光率算出部によって算出された調光率に従って前記照明装置を点灯させる制御部と、を有することを特徴とする。【選択図】図１
2014075232.tif 000002
【特許請求の範囲】
【請求項１】
照明装置の調光率を制御する照明制御装置であって、
前記照明装置を利用する利用環境を表す環境データを取得する取得部と、
０．５以下の値である確率レベルの設定値を記憶する確率レベル記憶部と、
前記環境データに対応した前記照明装置の調光率の正規分布の平均値及び標準偏差によって決まる前記照明装置の調光率の正規分布と、前記環境データに応じた前記照明装置の調光率の密度関数と、前記標準偏差及び前記環境データに対する重みとから決まるモデルパラメータと、に基づいて、前記確率レベル記憶部に記憶された確率レベルの設定値に対応する前記環境データに応じた前記照明装置の調光率を算出する調光率算出部と、
前記調光率算出部によって算出された調光率に従って前記照明装置を点灯させる制御部と、
を有することを特徴とする照明制御装置。
【請求項２】
ユーザから調光率を変更する指示を入力する調光率入力部を有し、
前記調光率算出部は、
前記調光率入力部から調光率の変更の指示が入力されると、ベイズの定理に従って前記モデルパラメータの確率分布を更新する際、事後分布を最大にするモデルパラメータに対応するように更新し、当該更新が行われた後のモデルパラメータに従い、調光率を算出することで調光率を変更する
ことを特徴とする請求項１記載の照明制御装置。
【請求項３】
前記確率レベルの設定値を入力し前記確率レベル記憶部に記憶される設定値を更新する確率レベル入力部
を有することを特徴とする請求項１または請求項２記載の照明制御装置。
【請求項４】
前記確率レベル記憶部は、０．５未満の値である確率レベルの設定値を記憶することを特徴とする請求項１から請求項３のうちいずれか１項に記載の照明制御装置。
【請求項５】
照明装置の調光率を制御する照明制御装置における照明制御方法であって、
取得部が、前記照明装置を利用する利用環境を表す環境データを取得し、
調光率算出部が、前記環境データに対応した前記照明装置の調光率の正規分布の平均及び標準偏差によって決まる前記照明装置の調光率の正規分布と、前記環境データに応じた前記照明装置の調光率の密度関数と、前記標準偏差及び前記環境データに対する重みとから決まるモデルパラメータと、に基づいて、確率レベル記憶部に記憶された０．５以下の値である確率レベルの設定値に対応する前記環境データに応じた前記照明装置の調光率を算出し、
制御部が、前記調光率算出部によって算出された調光率に従って前記照明装置を点灯させる
ことを特徴とする照明制御方法。
【請求項６】
照明装置の調光率を制御するコンピュータである照明制御装置に、
前記照明装置を利用する利用環境を表す環境データを取得する取得ステップと、
前記環境データに対応した前記照明装置の調光率の正規分布の平均及び標準偏差によって決まる前記照明装置の調光率の正規分布と、前記環境データに応じた前記照明装置の調光率の密度関数と、前記標準偏差及び前記環境データに対する重みとから決まるモデルパラメータと、に基づいて、確率レベル記憶部に記憶された０．５以下の値である確率レベルの設定値に対応する前記環境データに応じた前記照明装置の調光率を算出する調光率算出ステップと、
前記調光率算出ステップによって算出された調光率に従って前記照明装置を点灯させる制御ステップと、
を実行させることを特徴とする照明制御プログラム。
【発明の詳細な説明】
【技術分野】
【０００１】
本発明は、ユーザの好みを考慮した照明を行う照明制御装置、照明制御方法、照明制御プログラム処理に関する。
【背景技術】
【０００２】
電力消費量の削減が喫緊の課題となっている現在、建物の照明設備に対して高い省エネ性能が求められている。
特許文献１には、照明対象の空間を照明する照明器具の一部が消灯された場合、点灯している他の照明器具の配光を制御することで、調光制御による効率の低下を防止しつつ、省エネ効果を得る技術が記載されている。
【先行技術文献】
【特許文献】
【０００３】
【特許文献１】特開２０１１−０７０８７５号公報
【発明の概要】
【発明が解決しようとする課題】
【０００４】
しかしながら、上述した技術においては、ユーザの好みを考慮した配光制御していないため、配光制御の仕方によっては、ユーザにとって暗く感じる場合もあれば、必要以上に明るく感じる場合もある。そして、ユーザが暗く感じると、照度に対する不満が生じ、また、必要以上に明るい調光が行われると、無駄な電力が消費されてしまう。
【０００５】
本発明は、このような状況に鑑みてなされたもので、ユーザの好みを考慮しつつ、無駄な電力を削減する照明制御装置、照明制御方法、照明制御プログラムを提供することを目的とする。
【課題を解決するための手段】
【０００６】
上述した課題を解決するために、本発明は、照明装置の調光率を制御する照明制御装置であって、前記照明装置を利用する利用環境を表す環境データを取得する取得部と、０．５以下の値である確率レベルの設定値を記憶する確率レベル記憶部と、前記環境データに対応した前記照明装置の調光率の正規分布の平均及び標準偏差によって決まる前記照明装置の調光率の正規分布と、前記環境データに応じた前記照明装置の調光率の密度関数と、前記標準偏差及び前記環境データに対する重みとから決まるモデルパラメータと、に基づいて、前記確率レベル記憶部に記憶された確率レベルの設定値に対応する前記環境データに応じた前記照明装置の調光率を算出する調光率算出部と、前記調光率算出部によって算出された調光率に従って前記照明装置を点灯させる制御部と、を有することを特徴とする。
【０００７】
また、本発明は、ユーザから調光率を変更する指示を入力する調光率入力部を有し、前記調光率算出部は、前記調光率入力部から調光率の変更の指示が入力されると、ベイズの定理に従って前記モデルパラメータの確率分布を更新する際、事後分布を最大にするモデルパラメータに対応するように更新し、当該更新が行われた後のモデルパラメータに従い、調光率を算出することで調光率を変更することを特徴とする。
【０００８】
また、本発明は、上述の照明制御装置において、前記確率レベルの設定値を入力し前記確率レベル記憶部に記憶される設定値を更新する確率レベル入力部を有することを特徴とする。
【０００９】
また、本発明は、上述の照明制御装置において、前記確率レベル記憶部は、０．５未満の値である確率レベルの設定値を記憶することを特徴とする。
【００１０】
また、本発明は、照明装置の調光率を制御する照明制御装置における照明制御方法であって、取得部が、前記照明装置を利用する利用環境を表す環境データを取得し、調光率算出部が、前記環境データに対応した前記照明装置の調光率の正規分布の平均及び標準偏差によって決まる前記照明装置の調光率の正規分布と、前記環境データに応じた前記照明装置の調光率の密度関数と、前記標準偏差及び前記環境データに対する重みとから決まるモデルパラメータと、に基づいて、確率レベル記憶部に記憶された０．５以下の値である確率レベルの設定値に対応する前記環境データに応じた前記照明装置の調光率を算出し、制御部が、前記調光率算出部によって算出された調光率に従って前記照明装置を点灯させることを特徴とする。
【００１１】
また、本発明は、照明装置の調光率を制御するコンピュータである照明制御装置に、前記照明装置を利用する利用環境を表す環境データを取得する取得ステップと、前記環境データに対応した前記照明装置の調光率の正規分布の平均及び標準偏差によって決まる前記照明装置の調光率の正規分布と、前記環境データに応じた前記照明装置の調光率の密度関数と、前記標準偏差及び前記環境データに対する重みとから決まるモデルパラメータと、に基づいて、確率レベル記憶部に記憶された０．５以下の値である確率レベルの設定値に対応する前記環境データに応じた前記照明装置の調光率を算出する調光率算出ステップと、前記調光率算出ステップによって算出された調光率に従って前記照明装置を点灯させる制御ステップと、を実行させることを特徴とする。
【発明の効果】
【００１２】
以上説明したように、この発明によれば、ユーザ周辺の環境条件を測定して得られる結果とユーザの調光行動記録と用いつつ、照明の調光率を制御するようにした。これにより、様々な環境条件に応じて各ユーザが好ましいと思う調光率を求め、省エネを指向しながらもユーザの不満を低減することができる。
【図面の簡単な説明】
【００１３】
【図１】この発明の一実施形態による照明制御システムの構成を示す概略ブロック図である。
【図２】照明制御システムの動作について説明するフローチャートである。
【図３】確率レベルの設定値について説明する図である。
【発明を実施するための形態】
【００１４】
以下、本発明の一実施形態による照明制御システムについて図面を参照して説明する。
図１は、この発明の一実施形態による照明制御システムの構成を示す概略ブロック図である。
照明制御システム１は、調光率入力部１０、確率レベル入力部２０、センサ３０−１〜センサ３０−ｎ（以下、センサ３０ともいう）、環境データ記憶部４０、照明制御装置５０、照明装置６０−１〜照明装置６０−ｍ（以下、照明装置６０ともいう）を含んで構成される。
【００１５】
調光率入力部１０は、ユーザから照明装置６０−１〜照明装置６０−ｍのいずれかまたは全てに対する調光率を指定する指示を入力する。この調光率の指定は、調光率を数値にて入力することで指定してもよいし、現在の調光率よりも高い調光率または低い調光率へ変更する指示を入力することで指定してもよい。
確率レベル入力部２０は、ユーザからの指示に応じて確率レベルの設定値を入力する。
センサ３０−１〜センサ３０−ｎ（ｎは２以上の自然数）は、照明装置６０−１〜照明装置６０−ｍ（ｍは２以上の自然数）が照明する対象の空間における利用環境について環境条件に対応した測定を行い環境データを得る。環境条件としては、例えば、温度（℃）、湿度（％）、照度（ｌｘ（ルクス））、時刻（ｈ）等がある。すなわち、センサ３０は、温度センサ、湿度センサ、照度計、時計等を用いることができ、各センサを１つまたは複数設けることができる。例えば、温度センサ、湿度センサ、照度計は、照明対象の空間の異なる位置（例えば当該空間内に設置された座席毎等）のそれぞれに設けられる。また、照度計は、照明対象の空間を含む建物の周囲や屋上等に設けられることで、屋外光を検出することができる。
環境データ記憶部４０は、利用環境を表す環境データを記憶する。例えば、環境データ記憶部４０に記憶される環境データとしては、照明対象の空間を含む地域の気象データを記憶することができる。気象データとしては、例えば、時間毎の天候を予報した情報や、降水量等を用いることができる。
【００１６】
照明制御装置５０は、取得部５１、調光率算出部５２、制御部５３を含んで構成される。
取得部５１は、照明装置６０を利用する利用環境を表す環境データを取得する。取得部５１は、例えば、センサ３０、環境データ記憶部４０から環境データを取得する。
調光率算出部５２は、制御モデル計算部５２１と、記憶部５２３とを含んで構成され、調光率入力部１０から得られる調光率に対する指示と、確率レベル入力部２０から得られる確率レベルの設定値と、取得部５１から得られる各種環境データを用いて各種演算を行うことで、調光率を算出する。
制御モデル計算部５２１は、制御モデルを表す計算式を内部のメモリに記憶しており、この計算式を読み出し、各種データを用いて演算を実行することで調光率を算出する。
制御モデル計算部５２１は、調光率入力部１０から入力されるユーザからの調光率変更の指示に応じて、計算に用いる値を更新する。
記憶部５２３は、制御モデル計算部５２１が計算を行う際に用いる各種データを記憶する。記憶部５２３は、例えば、重み（ｗ、ｗ０、ｗ１、・・・ｗｍ）や、確率レベルの設定値（ｐｔ）等を記憶する。
【００１７】
制御部５３は、調光率算出部５２によって算出された調光率に従って、照明装置６０−１〜照明装置６０−ｍの調光率を制御して点灯させる。
【００１８】
照明装置６０−１〜照明装置６０−ｍは、照明対象の空間内に設けられる照明装置（灯具等の照明器具）である。照明装置６０は、それぞれを識別する照明識別情報が付与されており、その照明識別情報が制御部５３によって指定されることで制御対象の照明装置６０−１〜照明装置６０−ｍが特定され、調光率算出部５２によって算出された調光率に従って点灯する。この照明装置６０は、照明対象の空間に１つだけ設置されてもよいし、複数台設置されてもよい。
照明対象の空間は、複数の照明エリアに分割されていてもよい。この場合、分割された各照明エリアに対しそれぞれ１つの照明装置６０を設けて照明してもよいし、分割され各照明エリアの一部あるは全部の照明エリアに、複数台の照明装置６０を設けるようにしてもよい。この場合、１つの照明装置６０が、隣接する照明エリアに共通して照明する場合もある。
照明装置６０の調光率の変更は、照明装置６０を個々に指定することで変更を行ってもよいし、照明エリアを指定することで変更を行ってもよい。照明エリアを指定して調光率を変更する場合、１つの操作入力によって複数の照明装置６０に対し一度に調光率の変更を行うこともできる。
【００１９】
次に、照明制御装置５０についてさらに説明する。
調光率算出部５２の制御モデル計算部５２１は、制御モデルに従って調光率を計算する。制御モデル計算部５２１は、環境条件の値（環境データ）ｘに対応した照明装置６０の調光率の正規分布の平均値μ及び標準偏差σによって決まる照明装置の調光率の正規分布Ｎと、環境条件の値ｘに応じた照明装置６０の調光率の密度関数ｐ（ｙｔ｜ｘ，θ）と、標準偏差σ及び環境条件の値ｘに対する重みｗとから決まるモデルパラメータθとに基づいて、記憶部５２３に記憶された確率レベルの設定値に対応する環境データ（環境条件の値）に応じた照明装置の設定調光率ｙを算出する。
【００２０】
また、調光率算出部５２の制御モデル計算部５２１は、調光率入力部１０から調光率の変更の指示が入力されると、ベイズの定理に従ってモデルパラメータθの確率分布を更新する際、事後分布ｐ（θ｜Ｄ）を最大にするモデルパラメータθに対応するように更新し、当該更新が行われた後のモデルパラメータθに従い、設定調光率ｙを算出することで、変更の指示に応じて設定調光率ｙを更新する。
ここでは、確率レベル入力部２０から、確率レベルの設定値の新たな値が入力されることにより設定値の変更の指示が入力されると、制御モデル計算部５２１は、変更後の確率レベルの設定値を記憶部５２３に記憶するとともに、更新された後の確率レベルの設定値を用いて計算を行う。
【００２１】
〈制御モデルの構成〉
調光率算出部５２が設定調光率ｙを算出する場合における制御モデルの構成について説明する。
この制御モデルは、環境条件の値ｘを入力、照明装置６０の設定調光率ｙ（％）を出力とし、次式により表される。
【数１】
2014075232.tif 000003
ここで、ｘ＝［ｘ１、・・・、ｘｍ］Ｔであり、ｘｊ（ｊ＝１、・・・、ｍ）は、各環境条件（例えば温度（℃）、湿度（％）、自席照度（ｌｘ）、時刻（ｈ）など）、Ｐは好ましい調光率（ユーザが嗜好する調光率）ｙｔの累積分布、ｐｔは確率レベルの設定値である。この確率レベルの設定値ｐｔは、記憶部５２３に記憶されており、１以下の任意の値である。特に、確率レベルの設定値ｐｔとして、０．５または０．５未満の値が記憶されることで、省エネを指向することができる。ｑは、環境データから調光率を出力する関数を表す。
また、調光率ｙｔの密度関数ｐ（ｙｔ｜ｘ，θ）は、下記の（２）式で表される。
【数２】
2014075232.tif 000004
【００２２】
ここで、ｐは確率密度関数、μは正規分布の平均値、ｗは重み、θは確率変数である。正規分布の平均値μ、重みｗ、確率変数θは、それぞれ下記の式にて表すことができる。
【数３】
2014075232.tif 000005
【数４】
2014075232.tif 000006
【数５】
2014075232.tif 000007
重みｗ１、・・・、ｗｍ（ただし、ｗｊ（ｊ＝１、・・・、ｍ））は、それぞれ環境データｘ１、・・・、ｘｍに対応した重みである。ｗ０は、環境データによらない重みである。ｗＴは、重みｗの転置行列である。この確率変数θがモデルパラメータとして用いられる。
【００２３】
〈学習データによる制御モデルの更新〉
次に、ユーザの手動操作により設定調光率ｙ（％）への変更の指示が調光率入力部１０を介して調光率算出部５２に入力されると、制御モデル計算部５２１は、ベイズの定理によってモデルパラメータの確率分布を次のようにして更新する。
【数６】
2014075232.tif 000008
ここで、Ｄは、観測データであり、Ｄ＝{ｘ，ｕ}として表すことができる。ｐ（θ）は事前分布、ｐ（Ｄ｜θ）は尤度、ｐ（θ｜Ｄ）は事後分布である。事後分布は、各パラメータに関して独立であるものとし、ｗ０、・・・・ｗｍについては正規分布、σについては、対数正規分布とする。ｕは、ユーザが変更を指示した調光率の値である。尤度は次の（７）式で求められる。
【数７】
2014075232.tif 000009
【００２４】
なお、事後分布は次の更新における事前分布となる。制御モデル計算部５２１は、事後分布を最大にするモデルパラメータ（ＭＡＰ（Ｍａｘｉｍｕｍ  ａ  ｐｏｓｔｅｒｉｏｒｉ）値）θ＾ＭＡＰ（＾はθの上、以下同様）に対応するように制御モデルを更新する。モデルパラメータθは、ユーザによって調光率を変更する指示が入力されることによって、変更後のモデルパラメータの値であるθ＾にずれる。そのため、制御モデル計算部５２１は、制御モデルをこの変更後のモデルパラメータθ＾の値を用いた制御モデルに変更する。
【００２５】
〈更新された制御モデルによる調光率の出力〉
更新されたモデルパラメータθ＾ＭＡＰのテーブルを参照することにより、環境データによって表される環境条件の下での設定調光率ｙを次式から得ることができる。
【数８】
2014075232.tif 000010
ここで、
【数９】
2014075232.tif 000011
【数１０】
2014075232.tif 000012
【数１１】
2014075232.tif 000013
但し、μ＾（＾はμの上、以下同様）は、調光率変更の指示により更新された事後分布の平均値、σ＾（＾はσの上、以下同様）は、調光率変更の指示により更新された事後分布の標準偏差、ｗ０＾（＾はｗ０の上、以下同様）は、ｗ０の変更後の値、ｗ＾Ｔ（＾はｗの上、以下同様）は、ｗの変更後の値、Φは、標準正規累積分布を表す。
【００２６】
このように、環境に応じてユーザから調光率を変更する指示が入力されると、その指示に基づいてモデルパラメータθ＾を更新してモデルパラメータθ＾ＭＡＰを得て、このモデルパラメータθ＾ＭＡＰを用いて、調光率変更の指示により更新された事後分布の平均値μ＾、調光率変更の指示により更新された事後分布の標準偏差σ＾を算出することで、正規分布の平均値μと標準偏差σを学習する。
一般に、複数のユーザの不満が最も少なくなるような調光率に従い、この調光率を一定に保って照明すると、ユーザの不満が最も小さくなるが、エネルギーが非常に大きくなる。これに対し、本実施形態によれば、複数のユーザのうち、好みの調光率が似たユーザを確率レベルの設定値ｐｔを用いて特定し、環境に応じた調光率を決めるようにしたので、エネルギーを抑えつつ、ユーザの好みを考慮した調光率で照明することができる。
なお、本実施形態を適用した照明制御システムによって照明を行った場合の消費エネルギー量と同じエネルギー量を消費し、環境によらず調光率を一定にするシステムでは、外部環境によっては、照明が暗かったり、必要以上の調光率で点灯する場合が生じるため、ユーザの好みに合わない場合が増大するとともにエネルギーを無駄に消費してしまう場合が生じる。
また、本実施形態を適用したシステムによって照明を行った場合の満足度と同じ満足度となるように一定の調光率で照明を行うシステムでは、調光率を下げても不満が生じないような環境であっても一定の調光率で照明してしまうため、エネルギーを無駄に消費してしまう場合が生じる。
これに対し、ユーザの好みを学習しない手法に比べ、この実施形態によれば、環境に応じたユーザの好みを学習することで、省エネと満足度のトレードオフを適切に制御して、不満を増大させずに省エネ性能を向上することができる。
【００２７】
次に、図１における照明制御システム１の動作について図２のフローチャートを用いて説明する。ここでは、ユーザ（オペレータ）の指示に従い、確率レベル入力部２０から確率レベルの設定値が予め入力され、記憶部５２３に記憶されている。
まず、センサ３０は、環境条件に対応した測定を行い環境データを得る。取得部５１は、このセンサ３０のそれぞれから得られる環境データを取得するとともに、環境データ記憶部４０に記憶された環境データを取得する（ステップＳ１）。
次に、調光率算出部５２は、重みの初期値またはユーザの操作に応じた更新後の重みを取得する（ステップＳ２）。調光率算出部５２は、重みの初期値を記憶部５２３から読み出す。
そして調光率算出部５２は、制御対象の照明装置６０の現在の調光率と、重み、取得部５１が取得した環境データを用いて、制御モデルに従って設定調光率を計算し（ステップＳ３）、計算結果として得られた設定調光率と制御対象の照明装置６０の照明識別情報とを制御部５３へ出力する。
【００２８】
制御部５３は、調光率算出部５２から得られた照明識別情報に対応する照明装置６０の調光率を、調光率算出部５２から得られた設定調光率となるように制御する（ステップＳ４）。
その後、調光率算出部５２は、ユーザからの調光率を変更する操作入力が調光率入力部１０から入力されたか否かを判定し（ステップＳ５）、ユーザから調光率変更指示が入力されていなければ、取得部５１によって環境データを再度取得し、取得した環境データに従って、ステップＳ２からの処理を行う。これにより、ユーザからの調光率変更の指示がなくても、周囲の環境の変化に応じた調光率となるように、照明装置６０を制御することができる。
一方、ユーザから調光率変更の操作入力があると、調光率算出部５２は、モデルパラメータの確率分布を計算し、更新をし（ステップＳ６）、ステップＳ２に移行する。
【００２９】
ここで、図３は、確率レベルの設定値について説明する図である。
図３（ａ）、図３（ｂ）は、正規分布の確率密度関数を表す図であり、縦軸は確率密度を表し、横軸は好みの調光率を表している。図３（ａ）と図３（ｂ）とを比べると、図３（ａ）は図３（ｂ）に比べて調光率の好みのばらつきが少ないことを表している。
図３（ｃ）、図３（ｄ）は、累積分布関数を表す図であり、縦軸は、累積確率を表し、横軸は好みの調光率を表している。図３（ｃ）は、図３（ａ）に示す確率密度関数に対応する累積分布関数を表し、図３（ｄ）は、図３（ｂ）に示す確率密度関数に対応する累積分布関数を表す。
図３（ｃ）において、累積確率の値が０．５の場合（図３（ｃ）符号Ａ）、図３（ａ）に示すように確率密度は中央値に対応しており（図３（ａ）符号Ａ）、累積確率の値が０．５よりも小さな値の場合（図３（ｃ）符号Ｂ）には、図３（ａ）符号Ｂに示すように確率密度が中央値よりも小さな値に対応する。
図３（ｄ）において、累積確率の値が０．５の場合（図３（ｄ）符号Ａ）、図３（ｂ）に示すように確率密度が中央値に対応し（図３（ｂ）符号Ａ）、累積確率の値が０．５よりも小さな値の場合（図３（ｄ）符号Ｂ）、図３（ｂ）符号Ｂに示すように確率密度が中央値よりも小さな値に対応する。
【００３０】
ここでは、好みの調光率のばらつきが大きい場合には、分布が広がるため、確率レベルの設定値（確率密度）を、好みの調光率のばらつきが小さい場合に比べて低い値に設定しても（調光率をある程度下げても）、その調光率を好みであると考えるユーザの数が、好みの調光率のばらつきが小さい場合に比べて多くなる。そのため、好みの調光率のばらつきが大きい場合には、好みの調光率のばらつきが小さい場合に比べて省エネを実現しつつ、ユーザの満足度が低減してしまうことを抑えることができるため、不満をあまり増やさずに省エネを実現することができる。
【００３１】
以上説明した実施形態によれば、調光率が可変の照明、ユーザ周辺の環境条件を計測するセンサ、ユーザが主導で調光できるインタフェースを用いつつ、照明制御装置５０が、調光行動記録と環境条件に基づき学習的に更新される制御モデルに基づいて照明の調光率を制御するようにした。これにより、様々な環境条件に応じて各ユーザが好ましいと思う調光率を学習することで、省エネを指向しながらもユーザの不満を最小限に抑えることができる。
【００３２】
また、環境条件によるユーザの明るさ感の変化を先読みすることで、必要十分な調光を実現し、無駄な電力を省くことができる。
また、省エネとユーザの照度に対する満足感のトレードオフを、好ましい調光率の確率レベルを調整するパラメータ（θ）により設計することができる。
また、ユーザの好みが変化した場合にも、それに追従して適切な推定が可能である。
【００３３】
また、上述の実施形態において、確率レベルの設定値ｐｔを０．５よりも高い値を確率レベル入力部２０から入力して記憶部５２３に記憶（設定）する場合には、周囲の環境をユーザが必要とする明るさよりも明るくなるように調光される。この場合、照明対象の空間が明るい方が好まれるような状況である場合に有効である。
一方、確率レベルの設定値ｐｔを０．５として設定した場合には、ユーザの好みが最も集中している調光率に従って、照明装置６０の調光率を制御することができる（ユーザの好みが平均的である調光率に従って制御することができる）ので、ユーザの好みを考慮しつつ省エネを実現することができる。
また、確率レベルの設定値ｐｔを０．５未満にした場合には、不満が出ない範囲について評価することができるとともに、調光率に対してあまりこだわりがないユーザをターゲットとすることで調光率を下げることができ、確率レベルの設定値ｐｔを０．５とした場合に比べてさらに節電効果を向上させることができる。
また、確率レベル入力部２０から確率レベルの設定値ｐｔを入力し任意の値を設定できるので、省エネニーズとユーザの満足度を考慮した確率レベルの設定値ｐｔを設定することができる。
【００３４】
また、図１における照明制御装置５０の機能を実現するためのプログラムをコンピュータ読み取り可能な記録媒体に記録して、この記録媒体に記録されたプログラムをコンピュータシステムに読み込ませ、実行することにより調光率の制御を行ってもよい。なお、ここでいう「コンピュータシステム」とは、ＯＳや周辺機器等のハードウェアを含むものとする。
【００３５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００３６】
以上、この発明の実施形態について図面を参照して詳述してきたが、具体的な構成はこの実施形態に限られるものではなく、この発明の要旨を逸脱しない範囲の設計等も含まれる。
【符号の説明】
【００３７】
１０  調光率入力部
２０  確率レベル入力部
３０−１、３０−ｎ  センサ
４０  環境データ記憶部
５０  照明制御装置
５１  取得部
５２  調光率算出部
５３  制御部
６０−１、６０−ｍ  照明装置
【図１】
2014075232.tif 000014
【図２】
2014075232.tif 000015
【図３】
2014075232.tif 000016